(57)【要約】【課題】剛性に優れた水栓用カバーを提供する。【解決手段】互いに組み付けることによって筒状をなす半割管状の第１カバー２０及び半割管状の第２カバー３０からなるカバー本体と、前記カバー本体の端部に挿入するサイドカバー４０を備えた水栓用カバー１２であって、前記第１カバー２０及び前記サイドカバー４０には、前記第１カバー２０に対する前記第２カバー３０の組み付け方向と反対方向に、前記第１カバー２０から前記サイドカバー４０が移動することを規制する第１規制部２７、２８、４２、４３が設けられ、前記第２カバー３０及び前記サイドカバー４０には、前記第２カバー３０に対する前記第１カバー２０の組み付け方向と反対方向に、前記第２カバー３０から前記サイドカバー４０が移動することを規制する第２規制部３４、４４が設けられている。【選択図】図２
2020007843.tif 000002
【特許請求の範囲】
【請求項１】
互いに組み付けることによって筒状をなす半割管状の第１カバー及び半割管状の第２カバーからなるカバー本体と、前記カバー本体の端部に挿入するサイドカバーを備えた水栓用カバーであって、
前記第１カバー及び前記サイドカバーには、前記第１カバーに対する前記第２カバーの組み付け方向と反対方向に、前記第１カバーから前記サイドカバーが移動することを規制する第１規制部が設けられ、
前記第２カバー及び前記サイドカバーには、前記第２カバーに対する前記第１カバーの組み付け方向と反対方向に、前記第２カバーから前記サイドカバーが移動することを規制する第２規制部が設けられていることを特徴とする水栓用カバー。
【請求項２】
前記第１規制部は、前記サイドカバー及び前記第１カバーの一方に設けられた第１凸部と他方に設けられた第１凹部で構成され、
前記第２規制部は、前記サイドカバー及び前記第２カバーの一方に設けられた第２凸部と他方に設けられた第２凹部で構成され、
前記第１凸部には、前記第１凹部の内面に当接するとともに前記第１カバーに対する前記第２カバーの組み付け方向と交差する方向に延びる斜面が形成されており、
前記第２凸部には、前記第２凹部の内面に当接するとともに前記第２カバーに対する前記第１カバーの組み付け方向に交差する方向に延びる斜面が形成されていることを特徴とする請求項１に記載の水栓用カバー。
【請求項３】
前記カバー本体の内周面は断面円形状に形成され、
前記サイドカバーは、前記カバー本体の内周面に当接する円筒状部を備えており、前記第１凸部及び前記第２凸部は、前記円筒状部の外周面から径方向外方へ突出していることを特徴とする請求項２に記載の水栓用カバー。
【請求項４】
請求項１〜３のいずれか１項に記載の水栓用カバーを備えた水栓。
【発明の詳細な説明】
【技術分野】
【０００１】
本発明は、水栓用カバー及び水栓に関する。
【背景技術】
【０００２】
特許文献１には、水栓本体を被覆する水栓用カバーを備えたカバー水栓に係る発明が記載されている。ここに記載される水栓用カバーは、水栓本体の略全体を被覆する前側カバー体と、壁側に取り付けられて水栓本体の背面を被覆する後側カバー体と、前側カバー体及び後側カバー体の側面を封止するサイドキャップを備えている。水栓用カバーは、後側カバー体の上下の端縁部に前側カバー体の上下の後端縁部を係合し、前側カバー体及び後側カバー体の両側縁部にサイドキャップを挿入して構成されている。
【先行技術文献】
【特許文献】
【０００３】
【特許文献１】特開平１１−１３１５４６号公報
【発明の概要】
【発明が解決しようとする課題】
【０００４】
しかし、特許文献１に記載される前側カバー体及び後側カバー体の上記係合関係では水栓用カバーの剛性が十分でなく、例えば、前側カバー体に荷重をかけたような場合に、前側カバー体が後側カバー体から外れやすいといった問題があった。本発明は、こうした実情に鑑みてなされたものであり、その目的は、剛性に優れた水栓用カバー、及びこの水栓用カバーを備えた水栓を提供することである。
【課題を解決するための手段】
【０００５】
上記課題を解決するため、本発明の水栓用カバーは、互いに組み付けることによって筒状をなす半割管状の第１カバー及び半割管状の第２カバーからなるカバー本体と、前記カバー本体の端部に挿入するサイドカバーを備えた水栓用カバーであって、前記第１カバー及び前記サイドカバーには、前記第１カバーに対する前記第２カバーの組み付け方向と反対方向に、前記第１カバーから前記サイドカバーが移動することを規制する第１規制部が設けられ、前記第２カバー及び前記サイドカバーには、前記第２カバーに対する前記第１カバーの組み付け方向と反対方向に、前記第２カバーから前記サイドカバーが移動することを規制する第２規制部が設けられている。
【０００６】
上記の構成によれば、水栓用カバーは、半割管状の第１カバーと半割管状の第２カバーからなる筒状のカバー本体と、カバー本体の端部に挿入されるサイドカバーを備えている。第１カバー及びサイドカバーに設けられた第１規制部により、第２カバーの組み付け方向とは反対方向へのサイドカバーの移動が規制され、第２カバー及びサイドカバーに設けられた第２規制部により、第１カバーの組み付け方向とは反対方向へのサイドカバーの移動が規制されている。つまり、サイドカバーは、第１規制部及び第２規制部により、第１カバー及び第２カバーがそれぞれの抜け方向へ移動することを規制している。したがって、第１カバー及び第２カバーは、サイドカバーを介して抜け方向への移動が規制され、サイドカバーを介して第１カバー及び第２カバーが強固に組み付けられている。剛性に優れた水栓用カバーが得られる。
【０００７】
上記の構成において、前記第１規制部は、前記サイドカバー及び前記第１カバーの一方に設けられた第１凸部と他方に設けられた第１凹部で構成され、前記第２規制部は、前記サイドカバー及び前記第２カバーの一方に設けられた第２凸部と他方に設けられた第２凹部で構成され、前記第１凸部には、前記第１凹部の内面に当接するとともに前記第１カバーに対する前記第２カバーの組み付け方向と交差する方向に延びる斜面が形成されており、前記第２凸部には、前記第２凹部の内面に当接するとともに前記第２カバーに対する前記第１カバーの組み付け方向に交差する方向に延びる斜面が形成されている。
【０００８】
上記構成によれば、第１凸部と第１凹部との係合、第２凸部と第２凹部との係合により、第１カバー及び第２カバーのサイドカバーからの移動が規制される。第１凸部と第１凹部の係合、第２凸部と第２凹部との係合は、それぞれ第２カバーの組み付け方向と交差する方向に延びる斜面、第１カバーの組み付け方向と交差する方向に延びる斜面により構成されている。簡単な構成により剛性に優れた水栓用カバーが得られる。
【０００９】
上記構成において、前記カバー本体の内周面は断面円形状に形成され、前記サイドカバーは、前記カバー本体の内周面に当接する円筒状部を備えており、前記第１凸部及び前記第２凸部は、前記円筒状部の外周面から径方向外方へ突出している。
【００１０】
上記構成によれば、第１カバーと第２カバーとの相対回転がサイドカバーを介して規制される。抜け方向への移動のみならず、回転方向への移動も規制される。また、各カバーが外力を受けて変形することが抑制される。より剛性に優れた水栓用カバーが得られる。
【発明の効果】
【００１１】
本発明によれば、剛性に優れた水栓用カバーが得られる。
【図面の簡単な説明】
【００１２】
【図１】本実施形態の水栓の斜視図。
【図２】水栓用カバーの分解斜視図。
【図３】水栓用カバーの組み付け方法について説明する図。
【図４】水栓用カバーの側面図。
【図５】（ａ）、（ｂ）は規制部の変更例について説明する模式図。
【発明を実施するための形態】
【００１３】
以下、浴室のシャワー付き混合水栓に適用される水栓用カバーの一実施形態について説明する。以下の説明では、水栓１０の上下左右前後を、図１に示すように規定する。
図1に示すように、本実施形態の水栓１０は、浴室の壁面１１に取り付けられている。浴室には、壁面１１から突出するように水用及び湯用の一対の配管１５が設けられている。水栓１０は、内部に図示しない水栓本体が収容された合成樹脂製で筒状の水栓用カバー１２を備えており、一対の配管１５からの湯水は水栓用カバー１２内の水栓本体に供給される。また、水栓本体からの湯水は、水栓用カバー１２の後側から突出するエルボ管を介して接続されたシャワーホース１７、或いは、水栓用カバー１２の下側から突出する吐水管１６のいずれかから吐出されるように構成されている。水栓用カバー１２の左側には温調ハンドル１３が回動可能に取り付けられ、右側には切換ハンドル１４が回動可能に取り付けられている。
【００１４】
図２に示すように、水栓用カバー１２は、互いに組み付けることによって筒状をなす半割管状の後側カバー２０及び半割管状の前側カバー３０からなるカバー本体と、筒状のカバー本体の両端部にそれぞれ挿入される一対のサイドカバー４０を備えている。
【００１５】
後側カバー２０は、水栓１０の後側で図示しない水栓本体の略後半側を被覆している。図２及び図３に示すように、後側カバー２０は上面２０ａ、後面２０ｂ及び下面２０ｃを有する側断面視略Ｃ字状に形成されており、左右方向側端縁には、上面２０ａの前端縁と下面２０ｃの前端縁を連結するような形状の一対の側面２０ｄが形成されている。後面２０ｂには、一対の配管１５がそれぞれ挿通する一対の配管用開口２１と、シャワーホース１７を接続するエルボ管が挿通する第1吐出口２２が形成されている。下面２０ｃには、前側カバー３０を組み付けたときに前側カバー３０とともに吐水管１６が挿通する第２吐出口を形成するための第２吐出部２３が形成されている。また、上面２０ａの前端縁には、後に説明する前側カバー３０の係止凸部３２が係止する被係止凹部２４が左右方向に３箇所形成されている。さらに、下面２０ｃの前端縁には、後に説明する前側カバー３０の被係止凹部３３に係止する係止凸部２５が左右方向に２箇所形成されている。
【００１６】
図３に示すように、後側カバー２０の側面２０ｄの前端縁は、後方へ凹む略円弧状に形成されており、側面２０ｄの他の部分に比べて肉厚の肉厚部２６が上下方向に伸びるように形成されている。図２及び図３に示すように、肉厚部２６には、前方に開口し側面２０ｄの前端縁から後方へ凹む被係合凹部２７、２８が上下方向に並設されている。被係合凹部２７、２８の内面形状は、後に説明するサイドカバー４０の係合凸部４２、４３の外面形状と同形状であり、僅かに大きく形成されている。
【００１７】
図３に示すように、被係合凹部２７、２８は、上下方向の高さ寸法が後方に行くほど大きくなるように凹設されている。そして、被係合凹部２７、２８において上下方向に対向する上面２７ａ、２８ａと下面２７ｂ、２８ｂは互いに非平行に延びている。上面２７ａ、２８ａ及び下面２７ｂ、２８ｂの少なくとも一方は、後側カバー２０に対する前側カバー３０の組み付け方向（図３に矢印Ａで示す方向）に対して交差する方向に延びている。本実施形態では、上側の被係合凹部２７の上面２７ａ及び下側の被係合凹部２８の下面２８ｂが、矢印Ａに対して交差する方向に延びている。上側の被係合凹部２７の下面２７ｂ及び下側の被係合凹部２８の上面２８ａは、矢印Ａと略同一方向に延びている。
【００１８】
図２に示すように、前側カバー３０は、水栓１０の前側で水栓本体の略前半側を被覆している。図２及び図３に示すように、前側カバー３０は全体が曲面形状の側断面視略Ｃ字状に形成されている。ここでは便宜上、前側カバー３０の上方側の面を上面３０ａ、前方側の面を前面３０ｂ、下方側の面を下面３０ｃと言うものとする。下面３０ｃには、後側カバー２０の第２吐出部２３とともに第２吐出口を形成するための第２吐出部３１が形成されている。上面３０ａの後端縁には、後側カバー２０の被係止凹部２４に係止する係止凸部３２が左右方向に３箇所形成されている。また、下面３０ｃの後端縁には、後側カバー２０の係止凸部２５が係止する被係止凹部３３が左右方向に２箇所形成されている。
【００１９】
図２及び図３に示すように、前面３０ｂの左右方向両端部には、左右方向両端縁から左右方向に一定幅で切り欠かれた形状の被係合凹部３４が形成されている。被係合凹部３４が形成された部分の形状は、後に説明するサイドカバー４０の係合凸部４４と同形状であり、僅かに大きく形成されている。
【００２０】
図３に示すように、被係合凹部３４は、上下方向の高さ寸法が後方へ行くほど小さくなるように形成されている。そして、被係合凹部３４において上下方向に対向する上面３４ａ及び下面３４ｂは、前側カバー３０に対する後側カバー２０の組み付け方向（図３に矢印Ｂで示す方向）に対して交差する方向に延びている。具体的には、上面３４ａは後方へ行くほど下方へ傾斜する斜面として形成され、下面３４ｂは後方へ行くほど上方へ傾斜する斜面として形成されている。
【００２１】
図２に示すように、サイドカバー４０は略円筒形状に形成されている。カバー本体に取り付けられる左右一対のサイドカバー４０は、互いに左右反転した同形状の部材であるため、ここでは右側のサイドカバー４０について説明する。右側のサイドカバー４０には、左側から順に、略半円筒形状の挿入部４５、略円筒形状の筒状部４１、切換ハンドル１４が回動可能に取り付けられる円筒形状の取着部４６が形成されている。挿入部４５の前面には、前側カバー３０の内周面に形成された図示しない被係止部に係止する係止部４５ａが形成されている。
【００２２】
図２及び図３に示すように、筒状部４１における後方側外周面には、後側カバー２０の被係合凹部２７、２８に係合する係合凸部４２、４３が外方（後方）に向けて突出形成されている。また、筒状部４１における前方側外周面には、前側カバー３０の被係合凹部３４に係合する係合凸部４４が外方（前方）に向けて突出形成されている。
【００２３】
図３に示すように、係合凸部４２、４３は、上下方向の高さ寸法が後方に行くほど大きくなるように突設されており、上下方向に対向する上面４２ａ、４３ａと下面４２ｂ、４３ｂは互いに非平行に延びている。上面４２ａ、４３ａ及び下面４２ｂ、４３ｂの少なくとも一方は、矢印Ａ方向に対して交差する方向に延びている。本実施形態では、上側の係合凸部４２の上面４２ａ及び下側の係合凸部４３の下面４３ｂが、矢印Ａに対して交差する方向に延び、上側の係合凸部４２の下面４２ｂ及び下側の係合凸部４３の上面４３ａは、矢印Ａと略同一方向に延びている。サイドカバー４０が後側カバー２０に組み付けられた状態では、係合凸部４２、４３の上面４２ａ、４３ａ及び下面４２ｂ、４３ｂが、被係合凹部２７、２８の上面２７ａ、２８ａ及び下面２７ｂ、２８ｂに当接する。
【００２４】
図３に示すように、筒状部４１の前方側外周面に突出形成された係合凸部４４の上面４４ａ及び下面４４ｂは、矢印Ｂ方向に対して交差する方向に延びている。具体的には、上面４４ａは後方へ行くほど下方へ傾斜する斜面として形成され、下面４４ｂは後方へ行くほど上方へ傾斜する斜面として形成されている。サイドカバー４０が前側カバー３０に組み付けられた状態では、係合凸部４４の上面４４ａ及び下面４４ｂが被係合凹部３４の上面３４ａ及び下面３４ｂに当接する。
【００２５】
次に、水栓用カバー１２の作用を、その組み付け方法とともに説明する。
図３に示すように、壁面１１側に取り付けられた後側カバー２０に対して前側カバー３０を矢印Ａ方向に組み付ける。このとき、後側カバー２０の係止凸部２５を、前側カバー３０の被係止凹部３３に係止し、後側カバー２０の被係止凹部２４に、前側カバー３０の係止凸部３２を係止する。これにより、後側カバー２０に対して前側カバー３０が組み付けられて位置決めされた筒状のカバー本体が形成される。
【００２６】
続いて、筒状のカバー本体の両端部側方から、それぞれサイドカバー４０を挿入する。挿入されたサイドカバー４０は、挿入部４５に形成された係止部４５ａが、前側カバー３０の内周面の図示しない被係止部に係止され、挿入部４５及び筒状部４１がカバー本体に被覆されるとともに取着部４６がカバー本体から外部に突出した形状に組み付けられる。そして、図４に示すように、サイドカバー４０の筒状部４１に形成された係合凸部４２、４３が、後側カバー２０の肉厚部２６に形成された被係合凹部２７、２８に対して側方から挿入されて係合する。また、サイドカバー４０の筒状部４１に形成された係合凸部４４が、前側カバー３０に形成された被係合凹部３４に対して側方から挿入されて係合する。このとき、筒状部４１の外周面は、カバー本体の内周面に当接している。
【００２７】
図３に示すように、後側カバー２０の上側の被係合凹部２７の上面２７ａ及び下側の被係合凹部２８の下面２８ｂは、前側カバー３０の組み付け方向と交差する方向に延びている。そして、図４に示すように、サイドカバー４０の上側の係合凸部４２の上面４２ａは、被係合凹部２７の上面２７ａに当接し、下側の係合凸部４３の下面４３ｂは、被係合凹部２８の下面２８ｂに当接している。そのため、サイドカバー４０は、係合凸部４２、４３と被係合凹部２７、２８との係合により、前側カバー３０の組み付け方向とは反対方向への移動が規制される。係合凸部４２、４３と被係合凹部２７、２８により、後側カバー２０からサイドカバー４０が移動することを規制する規制部が構成されている。
【００２８】
また、前側カバー３０の被係合凹部３４の上面３４ａ及びサイドカバー４０の係合凸部４４の上面４４ａ、前側カバー３０の被係合凹部３４の下面３４ｂ及びサイドカバー４０の係合凸部４４の下面４４ｂは、後側カバー２０の組み付け方向と交差する方向に延びて互いに当接している。そのため、前側カバー３０は、被係合凹部３４と係合凸部４４との係合により、後側カバー２０の組み付け方向とは反対方向への移動が規制される。係合凸部４４と被係合凹部３４により、前側カバー３０からサイドカバー４０が移動することを規制する規制部が構成されている。
【００２９】
上記実施形態によれば、以下の効果を奏する。
（１）後側カバー２０とサイドカバー４０は、被係合凹部２７、２８に対する係合凸部４２、４３の係合により、後側カバー２０に対する前側カバー３０の抜け方向への移動が規制されている。また、前側カバー３０とサイドカバー４０は、被係合凹部３４に対する係合凸部４４の係合により、前側カバー３０に対する後側カバー２０の抜け方向への移動が規制されている。
【００３０】
そのため、後側カバー２０及び前側カバー３０は、サイドカバー４０を介して抜け方向への移動が規制され、サイドカバー４０を介して後側カバー２０及び前側カバー３０が強固に組み付けられている。剛性に優れた水栓用カバーが得られる。
【００３１】
（２）係合凸部４２の上面４２ａは、後側カバー２０及び前側カバー３０の組み付け方向と交差する方向に延びる斜面として形成されて被係合凹部２７の上面２７ａと当接している。係合凸部４３の下面４３ｂと被係合凹部２８の下面２８ｂも同様である。
【００３２】
そのため、後側カバー２０及び前側カバー３０は、凹部と凸部の係合といった簡単な構成で、組み付け方向と反対方向である抜け方向への移動が規制されている。サイドカバー４０との間に複雑な係合構造やビス等の固定用の別部品が不要となる。
【００３３】
（３）規制部を構成する係合凸部４２、４３、４４は、サイドカバー４０の筒状部４１から外方に向けて突出形成されている。そのため、カバー本体側方からのサイドカバー４０の組み付けが容易である。
【００３４】
（４）サイドカバー４０は、後側カバー２０と前側カバー３０が組み付けられてなるカバー本体の内周面に、筒状部４１の外周面が当接して固定されている。そのため、後側カバー２０及び前側カバー３０とサイドカバー４０との組み付け状態が安定する。
【００３５】
（５）後側カバー２０に前側カバー３０を組み付けると、係止凸部３２、２５と被係止凹部２４、３３とが係止される。そのため、サイドカバー４０を挿入する前に、後側カバー２０及び前側カバー３０が位置決めされて組み付け作業性が向上する。
【００３６】
（６）前側カバー３０とサイドカバー４０との間に形成された規制部は、前側カバー３０を切り欠いた形状の被係合凹部３４を備えて構成されており、被係合凹部３４に係合する係合凸部４４は、水栓用カバー１２の前方から視認可能とされている。そのため、係合凸部４４の前面を、切換ハンドル１４の操作方向を示す表示部等として活用することができる。また、規制部が設けられていても、その分の厚みの増加を抑制することができ、水栓用カバー１２の大型化を抑制することができる。
【００３７】
上記実施形態は、次のように変更できる。なお、上記実施形態及び以下の変更例は、技術的に矛盾しない範囲で互いに組み合わせて適用することができる。
・上記実施形態のカバー本体は略円筒状に形成され、サイドカバー４０の略円筒状の筒状部４１と当接している。カバー本体及び筒状部４１の形状はこれに限定されず、いずれも円筒状に形成されていてもよい。また、カバー本体の内周面のみが断面円形状に形成されていてもよい。このようにカバー本体の内周面とサイドカバー４０の筒状部４１の外周面が円形状であると、係合凸部４２、４３と被係合凹部２７、２８との係合、及び係合凸部４４と被係合凹部３４との係合により、後側カバー２０及び前側カバー３０の回転がサイドカバー４０を介して規制される。後側カバー２０及び前側カバー３０の抜け方向への移動が規制されるのみならず回転方向への移動も規制される。
【００３８】
・規制部の構成は凹凸関係のものに限定されない。例えば、後側カバー２０及び前側カバー３０がそれぞれサイドカバー４０に対してビス止め等で固定されて抜け方向への移動が規制されていてもよい。
【００３９】
・サイドカバー４０の係合凸部４２の上面４２ａ及び下面４２ｂ、係合凸部４３の上面４３ａ及び下面４３ｂの延びる方向は上記実施形態に限定されない。図５（ａ）に示すように、係合凸部４２の下面４２ｂ及び係合凸部４３の上面４３ａが、矢印Ａ方向に対して交差する方向に延びており、上面４２ａ及び下面４３ｂが矢印Ａと略同一方向に延びていてもよい。また、上面４２ａ、４３ａ及び下面４２ｂ、４３ｂがすべて矢印Ａと交差する方向に延びていてもよく、いずれか一つの面のみが交差する方向に延びていてもよい。この場合、対応する被係合凹部２７、２８の上面２７ａ、２８ａ及び下面２７ｂ、２８ｂも同じ方向に延びて互いに当接していればよい。なお、図５ではサイドカバー４０のみを示している。
【００４０】
・図５（ａ）に示すように、サイドカバー４０の係合凸部４４の上面４４ａ及び下面４４ｂのいずれか一方のみが矢印Ｂで示す方向に対して交差する方向に延びていてもよい。この場合、対応する被係合凹部３４の上面３４ａ及び下面３４ｂも同様である。
【００４１】
・係合凸部４２、４３及び被係合凹部２７、２８の形成位置及び個数は特に限定されない。１箇所であってもよく３箇所以上であってもよい。いずれの場合も、後側カバー２０及び前側カバー３０の抜け方向と交差する方向に延びる斜面が形成されていればよい。係合凸部４４及び被係合凹部３４についても同様に、形成位置及び個数は特に限定されない。例えば、図５（ｂ）に示すように、係合凸部４４がサイドカバー４０の前方側ではなく、上下方向に１箇所ずつ形成されていてもよい。この場合、係合凸部４４には、後側カバー２０及び前側カバー３０の抜け方向への移動を規制する斜面が、抜け方向に直交するように形成されていてもよい。
【００４２】
・係合凸部４２、４３、４４の少なくともいずれかは、上下方向の高さ寸法が前後方向に同じであってもよい。図５（ｂ）には、係合凸部４２、４３の変更例について示す。この場合、対応する係合凸部４２、４３、４４の形状も同様である。
【００４３】
・後側カバー２０及びサイドカバー４０に設けられた規制部の凹凸関係が逆であってもよい。つまり、後側カバー２０に係合凸部が形成され、サイドカバー４０に当該係合凸部が係合する被係合凹部が形成されていてもよい。前側カバー３０及びサイドカバー４０に設けられた規制部についても同様である。
【００４４】
・上記実施形態では、係合凸部４２、４３の上面４２ａ、４３ａ及び下面４２ｂ、４３ｂが、被係合凹部２７、２８の上面２７ａ、２８ａ及び下面２７ｂ、２８ｂに当接されているが、係合凸部４２、４３の外周面全体と被係合凹部２７、２８の内周面全体が当接していてもよい。また、係合凸部４２、４３の外周面の一部と被係合凹部２７、２８の内周面の一部が当接していてもよい。この場合、少なくとも、後側カバー２０及び前側カバー３０の抜け方向と交差する方向に延びる斜面が当接していればよい。
【００４５】
・係合凸部４２の上面４２ａ、係合凸部４３の下面４３ｂ、係合凸部４４の上面４４ａ及び下面４４ｂ、被係合凹部２７の上面２７ａ、被係合凹部２８の下面２８ｂ、及び被係合凹部３４の上面３４ａ及び下面３４ｂは、平坦面でなく、曲面状に形成されたり、凹凸形状に形成されたりしていてもよい。各面が、後側カバー２０及び前側カバー３０の抜け方向に規制する形状であればよい。
【００４６】
・水栓用カバー１２の外形状は、水栓本体を収容可能な筒状であれば特に限定されない。
・水栓用カバー１２は、壁面１１に対して後方の後側カバー２０と前方の前側カバー３０に分割された形状でなくてもよい。例えば、上下に分割された上側カバーと下側カバーで構成されていてもよい。この場合も、係合凸部４２、４３、４４及び被係合凹部２７、２８、３４に、上側カバー及び下側カバーの組み付け方向と反対方向への移動を規制する斜面が形成されていればよい。
【００４７】
・後側カバー２０及び前側カバー３０を係止する係止凸部２５、３２、被係止凹部２４、３３の形成位置、形成個数は上記実施形態に限定されない。また、後側カバー２０及び前側カバー３０の左右方向全体に延びるように係止構造が形成されていてもよい。
【００４８】
上記実施形態から把握される技術思想について以下に記載する。
（イ）サイドカバーはカバー本体の内周面に当接する筒状部を備えており、前記係合凸部は、前記筒状部の外周面から径方向外方へ突出している。
【符号の説明】
【００４９】
１２…水栓用カバー、２０…後側カバー、２７、２８…被係合凹部（規制部）、２７ａ…上面（斜面）、２８ｂ…下面（斜面）、３０…前側カバー、３４…被係合凹部（規制部）、３４ａ…上面（斜面）、３４ｂ…下面（斜面）、４０…サイドカバー、４１…筒状部、４２、４３、４４…係合凸部（規制部）。
【図１】
2020007843.tif 000003
【図２】
2020007843.tif 000004
【図３】
2020007843.tif 000005
【図４】
2020007843.tif 000006
【図５】
2020007843.tif 000007